(57)【要約】【課題】チューブに加えられた外力によって、チューブが接続されたボトルの姿勢が変化するのを低減する。【解決手段】保持部２が、栄養ボトル８０の容器本体８１の側壁８２及び底部８３を保持する。保持部に、その上端から下方に向かってスリット２３が形成されている。スリットの下端には、容器本体のポート８４に接続されたチューブ９０を把持するチューブ把持部３が形成されている。チューブ把持部は、互いに対向する一対の把持面３１を有する。一対の把持面間の間隔よりスリットの幅が狭くなるようにスリット内に向かって突出した係止突起３２が、一対の把持面よりも上側に形成されている。互いに相手方に向かって突出した一対の凸曲面３３が一対の把持面に隣接して形成されている。【選択図】図２
2013169349.tif 000002
【特許請求の範囲】
【請求項１】
側壁及び底部を有する筒状の容器本体を備えた栄養ボトルを、前記底部を下側にして保持する栄養ボトル用架台であって、
前記容器本体の前記側壁及び前記底部を保持する保持部を備え、
前記保持部に、その上端から下方に向かって延びたスリットが形成されており、
前記スリットの下端には、前記容器本体の前記底部に設けられたポートに接続された可撓性を有するチューブを把持するチューブ把持部が形成されており、
前記チューブ把持部は、互いに対向する一対の把持面を有し、
前記一対の把持面間の間隔より前記スリットの幅が狭くなるように前記スリット内に向かって突出した係止突起が、前記一対の把持面よりも上側に形成されており、
互いに相手方に向かって突出した一対の凸曲面が、前記一対の把持面に隣接して形成されていることを特徴とする栄養ボトル用架台。
【請求項２】
前記一対の凸曲面間の間隔は、前記一対の把持面から遠ざかるにしたがって徐々に大きくなっている請求項１に記載の栄養ボトル用架台。
【請求項３】
前記保持部には、前記容器本体と当接する複数のリブが設けられている請求項１又は２に記載の栄養ボトル用架台。
【請求項４】
上方から見たとき、前記保持部の中央に貫通穴が形成されている請求項１〜３のいずれかに記載の栄養ボトル用架台。
【請求項５】
前記スリットの数が２以上である請求項１〜４のいずれかに記載の栄養ボトル用架台。
【請求項６】
前記栄養ボトル用架台の下面に、別の栄養ボトル用架台を挿入することができる窪みが形成されている請求項１〜５のいずれかに記載の栄養ボトル用架台。
【請求項７】
前記窪みへの挿入深さを規制する突出部が設けられている請求項６に記載の栄養ボトル用架台。
【発明の詳細な説明】
【技術分野】
【０００１】
本発明は、液状の栄養剤等を貯蔵した栄養ボトルを保持するための栄養ボトル用架台に関する。
【背景技術】
【０００２】
食道や口腔の外傷、疾患、又は手術等によって食物を口腔から胃に送り込むことが困難となった患者に栄養剤、流動食、又は薬剤などの液状物（一般に「経腸栄養剤」と呼ばれる。以下、「液状物」と称する）を投与する方法として経腸栄養療法が知られている。経腸栄養療法では、液状物を可撓性を有するカテーテル（一般に「経腸栄養カテーテル」と呼ばれる）を介して患者の体内に送り込む。
【０００３】
液状物を一時的に貯蔵するための容器として、図８に示すような、硬質の材料（例えば樹脂材料）からなる栄養ボトル（以下、単に「ボトル」という）８０が使用される。ボトル８０は、有底の略筒形状を有し、液状物を収納する容器本体８１と、容器本体８１の上部の開口を塞ぐ蓋８５と、ボトル８０を吊り下げるための取っ手８７とを備える。容器本体８１の側壁８２は、略円筒面である。容器本体８１の底部８３には液状物が流出するポート８４が設けられている。ポート８４と患者に挿入された経腸栄養カテーテルとが可撓性を有するチューブ（図示せず）で接続される。容器本体８１は、その中の液状物の量を外から視認することができるように、透明性又は半透明性（もしくは透光性）を有している。
【０００４】
容器本体８１内に液状物が注入され、ポート８４にチューブが接続されたボトル８０は、底部８３を下側にして架台上に載置される。図９は、従来の栄養ボトル用架台（以下、単に「架台」という）１００の一例の斜視図である。円環状の保持部１０２内に、ボトル８０の底部８３と当接する複数のリブ１０８が立設されている。保持部１０２からは、３本の脚１０５が下方に向かって突出している。
【０００５】
図１０は、架台１００にボトル８０を載置した状態を示した斜視図である。ボトル８０のポート８４に接続されたチューブ９０は、架台１００の脚１０５の間から導出されている。
【先行技術文献】
【特許文献】
【０００６】
【特許文献１】特許第３８３４７２５号明細書
【発明の概要】
【発明が解決しようとする課題】
【０００７】
従来の架台１００は、ボトル８０に接続されたチューブ９０が固定されていないので、チューブ９０に意図しない外力が加えられると、その外力がチューブ９０を介してボトル８０に伝わって架台１００上でボトル８０が傾く等、ボトル８０の姿勢安定性に欠けるという問題があった。
【０００８】
特許文献１には、液体供給チューブにかかるテンションがカテーテルに伝わらないように、カテーテルをＳ字クリップに係止するカテーテル取付け具固定装置が記載されている。しかしながら、この固定装置は、チューブにかかるテンションをカテーテルに伝わるのを防止するものであって、ボトルに伝わるのを防止するものではない。
【０００９】
一方で、ボトル８０への液状物の注入や使用済みのボトル８０の洗浄等のために、ボトル８０を架台１００から取り外す場合が多くある。従って、チューブ９０の保持機構を架台に設ける場合には、チューブ９０の保持及びその解放を容易に行えることが望まれる。
【００１０】
本発明は、上記の従来の架台の問題を解決するものであり、チューブに外力が加えられた場合に、チューブが接続されたボトルの姿勢が変化しにくい栄養ボトル用架台を提供することを目的とする。
【課題を解決するための手段】
【００１１】
本発明の栄養ボトル用架台は、側壁及び底部を有する筒状の容器本体を備えた栄養ボトルを、前記底部を下側にして保持する栄養ボトル用架台であって、前記容器本体の前記側壁及び前記底部を保持する保持部を備える。前記保持部に、その上端から下方に向かって延びたスリットが形成されている。前記スリットの下端には、前記容器本体の前記底部に設けられたポートに接続された可撓性を有するチューブを把持するチューブ把持部が形成されている。前記チューブ把持部は、互いに対向する一対の把持面を有する。前記一対の把持面間の間隔より前記スリットの幅が狭くなるように前記スリット内に向かって突出した係止突起が、前記一対の把持面よりも上側に形成されている。互いに相手方に向かって突出した一対の凸曲面が、前記一対の把持面に隣接して形成されている。
【発明の効果】
【００１２】
本発明の栄養ボトル用架台は、チューブを把持するチューブ把持部を備えるので、チューブに意図しない外力が加えられても、架台に保持された栄養ボトルの姿勢の変化が起こりにくい。
【００１３】
チューブ把持部を構成する一対の把持面よりも上側に係止突起が形成されているので、チューブ把持部に把持されたチューブが、意図せずにチューブ把持部から脱出する可能性を低減できる。
【００１４】
一対の把持面に隣接して一対の凸曲面が形成されているので、チューブを一対の把持部に把持させる作業及び一対の把持部からチューブを解放する作業を容易且つ迅速に行うことができる。
【図面の簡単な説明】
【００１５】
【図１】図１は、本発明の一実施形態にかかる栄養ボトル用架台の、正面やや上方から見た斜視図である。
【図２】図２は、本発明の一実施形態にかかる栄養ボトル用架台の、正面上方から見た斜視図である。
【図３】図３は、本発明の一実施形態にかかる栄養ボトル用架台の、背面上方から見た斜視図である。
【図４】図４は、本発明の一実施形態にかかる栄養ボトル用架台の、下方から見た斜視図である。
【図５】図５は、栄養ボトルが保持される直前の、本発明の一実施形態にかかる栄養ボトル用架台を示した斜視図である。
【図６】図６は、栄養ボトルを載置した直後の、本発明の一実施形態にかかる栄養ボトル用架台を示した斜視図である。
【図７】図７は、栄養ボトルを保持し且つチューブをチューブ把持部で把持した、本発明の一実施形態にかかる栄養ボトル用架台を示した斜視図である。
【図８】図８は、栄養ボトルの一例の概略構成を示した斜視図である。
【図９】図９は、従来の栄養ボトル用架台の斜視図である。
【図１０】図１０は、栄養ボトルが載置された従来の栄養ボトル用架台の斜視図である。
【発明を実施するための形態】
【００１６】
上記の本発明の栄養ボトル用架台において、前記一対の凸曲面間の間隔は、前記一対の把持面から遠ざかるにしたがって徐々に大きくなっていることが好ましい。これにより、チューブを一対の把持部に把持させる作業及び一対の把持部からチューブを解放する作業を更に容易且つ迅速に行うことができる。
【００１７】
前記保持部には、前記容器本体と当接する複数のリブが設けられていることが好ましい。これにより、容器本体と当接する部分の面積が小さくなるので、架台に栄養ボトルを保持させたときの栄養ボトルの姿勢安定性を向上させることができる。
【００１８】
上方から見たとき、前記保持部の中央に貫通穴が形成されていることが好ましい。これにより、保持部の内周面を洗浄するのが容易になる。
【００１９】
前記スリットの数が２以上であることが好ましい。これにより、チューブ把持部も２以上設けることができる。従って、２以上のチューブ把持部からチューブを把持させるチューブ把持部を任意に選択することができるので、チューブの取り回し方向に応じて架台を回転させる等の煩雑な作業が不要になる。
【００２０】
前記栄養ボトル用架台の下面に、別の栄養ボトル用架台を挿入することができる窪みが形成されていることが好ましい。これにより、架台を使用しない場合には、複数の架台を上下方向に積み重ねて省スペースで収納することができる。
【００２１】
上記において、前記窪みへの挿入深さを規制する突出部が設けられていることが好ましい。これにより、積み重ねられた複数の架台を分離することが困難になるという不都合を回避することができる。
【００２２】
以下に、本発明を好適な実施形態を示しながら詳細に説明する。但し、本発明は以下の実施形態に限定されないことはいうまでもない。以下の説明において参照する各図は、説明の便宜上、本発明の実施形態の構成部材のうち、本発明を説明するために必要な主要部材のみを簡略化して示したものである。従って、本発明は以下の各図に示されていない任意の構成部材を備え得る。また、以下の各図中の部材の寸法は、実際の構成部材の寸法および各部材の寸法比率等を忠実に表したものではない。
【００２３】
図１〜図４は本発明の一実施形態にかかる栄養ボトル用架台（以下、単に「架台」という）１を示した斜視図であって、図１はその正面やや上方から見た斜視図、図２はその正面上方から見た斜視図、図３は背面上方から見た斜視図、図４は下方から見た斜視図である。本実施形態１の架台１は、図８に示したボトル８０を載置することができるように構成されている。
【００２４】
架台１は、ボトル８０を保持する保持部２と、ボトル８０の底部８２のポート８４に接続された可撓性を有するチューブを把持するチューブ把持部３とを備えている。保持部２及びチューブ把持部３は、略円環形状を有する基台４上に一体的に形成されている。一点鎖線１ａは、基台４の中心を通る、架台１の中心軸である。以下の説明の便宜のため、中心軸１ａ方向において、基台４の側を架台１の「下側」と呼び、基台４とは反対側を架台１の「上側」と呼ぶ。また、中心軸１ａを中心とする回転方向を「周方向」と呼び、中心軸１ａと直交する方向を「半径方向」と呼ぶ。
【００２５】
保持部２は、全体として、中心軸１ａを中心軸とする略円筒形状を有している。保持部２の内周面（中心軸１ａに対向する側の面）には、上側に大径部２５が形成されており、大径部２５の下側に小径部２６が形成されている。大径部２５及び小径部２６は中心軸１ａと同軸の略円筒面であり、大径部２５は小径部２６より中心軸１ａからの距離が大きい。大径部２６と小径部２６との間に、両者を繋ぐ段差面２７が形成されている。段差面２７は、中心軸１ａに対して大きな角度で傾斜した略円錐面である。架台１にボトル８０を載置したとき（後述する図７参照）、大径部２５はボトル８０の容器本体８１の側壁８２に対向し、段差面２７は容器本体８１の底部８３に対向する。
【００２６】
保持部２には、その上端から下方に向かって基部４にまで達する一対のスリット２３が形成されている。中心軸１ａと平行な方向に沿って見たとき、一対のスリット２３は、中心軸１ａに対して非対称な位置に配置されている。その結果、保持部２は、略「Ｃ」字形状の平面視形状（中心軸１ａに平行な方向に沿って見た形状）を有する第１保持部２１と、第１保持部２１に対向する第２保持部２２とに、周方向に分断されている。第１保持部２１は、第２保持部２２に比べて、その周方向寸法が相対的に大きい。
【００２７】
大径部２５及び傾斜面２７には、両者に連続する複数のリブ２８が突出して形成されている。リブ２８は中心軸１ａを含む面に沿って延びている。リブ２８の頂部は、架台１に載置されるボトル８０の容器本体８１の側壁８２及び底部８３の外形に沿うように形成されている。本実施形態では、第１保持部２１に４本のリブ２８が、第２保持部２２に２本のリブが、それぞれ形成されているが、第１保持部２１及び第２保持部２２に形成されるリブ２８の数はこれに限定されない。複数のリブ２８は、中心軸１ａに対して等角度間隔で配置されることが好ましい。中心軸１ａと平行な方向に沿って見たとき、周方向に隣り合う任意の２つのリブ２８の中心軸１ａに対する角度（リブの配置角度）は９０°未満であることが好ましい。中心軸１ａに対して９０°未満の配置角度でリブ２８を配置することにより、ボトル８０を、傾きを少なくより安定的に保持することができる。
【００２８】
第１保持部２１と第２保持部２２との間隔（即ち、スリット２３の幅）は、基台４の近傍で急激に狭くなる。そして、スリット２３の下端に、チューブ把持部３が設けられている。チューブ把持部３は、保持部２に保持されたボトル８０（後述する図７参照）のポート８４よりも低い位置に設けられていることが好ましい。チューブ把持部３は、中心軸１ａと略平行で且つ周方向に対向する一対の把持面３１を備える。一対の把持面３１の上端には、互いに相手方に向かって突出した一対の係止突起３２が形成されている。一対の係止突起３２間の間隔は、一対の把持面３１間の間隔より小さい。一対の把持面３１に隣接して、一対の凸曲面３３が形成されている。一対の凸曲面３３は、スリット２３を挟んで周方向に対向し、互いに相手方側に凸の滑らかな曲面である。一対の凸曲面３３間の間隔は、一対の把持面３１側において最小となり、一対の把持面３１から遠ざかるにしたがって徐々に増大する。より詳細には、図１から理解できるように、中心軸１ａに垂直な方向（半径方向）に沿って一対の凸曲面３３を見たとき、一つの凸曲面３３間の間隔は、一対の係止突起３２において（即ち、一対の把持面３１側において）最小となり、これから上方にいくにしたがって徐々に大きくなっている。また、図３から理解できるように、中心軸１ａと平行な方向に沿って一対の凸曲面３３を見たとき、一つの凸曲面３３間の間隔は、一対の把持面３１側において最小となり、これから中心軸１ａに近づくにしたがって徐々に大きくなっている。このように、一対の凸曲面３３は、その間隔が上下方向及び半径方向において徐々に変化する滑らかな曲面である。
【００２９】
一対の把持面３１及び一対の係止突起３２は、中心軸１ａに垂直な方向（半径方向）に沿って見たとき、矩形を構成する４辺のうちの３辺に沿って配置されている。これにより、一対の把持面３１及び一対の係止突起３２を樹脂成形により形成する場合に、半径方向に延びた四角柱形状の入れ子を使用することができるので、一対の把持面３１及び一対の係止突起３２の成形性が向上する。
【００３０】
保持部２を構成する第１保持部２１及び第２保持部２２の外周面２４の基台４側の領域に、外方向に突出した突出部４１，４２が形成されている。その結果、突出部４１，４２の上端の段差部４１ａ，４２ａにて、保持部２の外径が急激に変化している。
【００３１】
図４から理解できるように、架台１の下面には、上述した保持部２の外形状と実質的に相似形状を有する窪み４５が形成されている。従って、架台１の下面の窪み４５に別の架台１の保持部２を挿入するようにして、複数の架台１を上下方向に積み重ねることができる。これにより、架台１を使用しない場合に、複数の架台１を省スペースで収納することができる。また、架台１を軽量化することができる。
【００３２】
複数の架台１のこのような積み重ねを容易にするために、保持部２を構成する第１保持部２１及び第２保持部２２は、その半径方向及び周方向の外寸法が上側ほど徐々に小さくなる、いわゆる「先細り形状」であることが好ましい。例えば、保持部２（即ち、第１保持部２１及び第２保持部２２）の外周面（中心軸１ａとは反対側の面）２４は、上側ほど中心軸１ａからの距離が徐々に小さくなる円錐面であることが好ましく、保持部２の内周面（中心軸１ａ側の面）は、上側ほど中心軸１ａからの距離が徐々に大きくなる円錐面であることが好ましい。また、第１保持部２１及び第２保持部２２の周方向の寸法は、上側ほど徐々に小さくなる（換言すれば、スリット２３の幅が上側ほど大きくなる）ことが好ましい。
【００３３】
下側の架台１の保持部２を上側の架台１の下面の窪み４５に挿入して上下２つの架台１を積み重ねたとき、下側の架台１の突出部４１，４２（特に、その上端の段差部４１ａ，４２ａ）が上側の架台１の基部４に衝突するので、下側の架台１の上側の架台１に対する挿入深さが規制される。これにより、上側の架台１に下側の架台１が深く挿入されてしまうことにより、上下の２つの架台１を分離することが困難になるという不都合を回避することができる。
【００３４】
図３に示されているように、基台４の中央には、貫通穴４３が形成されている。貫通穴４３に指を通す等により、保持部２の内周面（特に小径部２６）を洗浄するのが容易である。
【００３５】
本実施形態の架台１の製造方法は、特に制限はないが、好ましくは樹脂材料を用いて射出成型により一体的に製造することができる。樹脂材料としては、ボトル８０を載置したときに実質的に変形しない程度の機械的強度を有する硬質樹脂が好ましい。具体的には、ポリカーボネート、ポリアセタール、ポリプロピレン、硬質ポリ塩化ビニル、ナイロン等を用いることができる。
【００３６】
以上のように構成された本発明の架台１の使用方法を説明する。
【００３７】
図５は、ボトル８０を架台１に載置する直前の状態を示した斜視図である。ボトル８０には、例えば経腸栄養療法に使用される所定量の液状物が貯蔵されている。図５において、９０は、ボトル８０のポート８４に接続された、可撓性を有するチューブである。この段階では、液状物がチューブ９０内を流動しないように、チューブ９０は例えばクランプ（図示せず）等で閉塞されている。
【００３８】
図５に示すように、ボトル８０を、その底部８３を下側にして、架台１に向かって下降させる。チューブ９０をスリット２３に挿入し、且つ、底部８３を、架台１の第１保持部２１と第２保持部２２との間に挿入する。
【００３９】
図６は、ボトル８０を架台１上に載置した直後の状態を示した斜視図である。図示されていないが、架台１の複数のリブ２８（図１〜図３を参照）が、容器本体８１の底部８３及び側壁８２に当接する。これにより、ボトル８０は直立状態で保持される。架台１のうちボトル８０と当接する部分を複数のリブ２８の頂部のみという限られた小さな面積に限定することにより、架台１やボトル８０の形状精度を高めることなく、架台１にボトル８０を保持させたときのボトル８０の姿勢安定性が向上する。チューブ９０の外径は、一対の係止突起３２間の間隔より大きい。従って、チューブ９０は、一対の係止突起３２より上側の一対の凸曲面３３によって保持されている。
【００４０】
次いで、一方の手で架台１及びボトル８０を保持し、他方の手で架台１のスリット２３から導出されたチューブ９０を保持して、基台４よりも下側に向かってチューブ９０を架台１から引き出すようにチューブ９０を引っ張る。チューブ９０に印加された張力の下向きの成分によって、チューブ９０は、一対の凸曲面３３間から、一対の係止突起３２間を通過して、一対の係止突起３２より下側の一対の把持面３１間に移動する。このとき、凸曲面３３、特に凸曲面３３の係止突起３２よりも上側の部分は、チューブ９０を一対の係止突起３２間に導く案内面として機能する。従って、わずかな張力で、チューブ９０をチューブ把持部３（即ち、一対の把持面３１間）に容易に把持させることができる。
【００４１】
図７は、ボトル８０が架台１上に保持され、且つ、チューブ９０がチューブ把持部３で把持された状態を示した斜視図である。この状態で、チューブ９０を介して、ボトル８０と患者に挿入された経腸栄養カテーテル（図示せず）とを連通させ、ボトル８０内の液状物を患者に投与する。
【００４２】
図７の状態において、チューブ把持部３から導出されたチューブ９０の部分に意図しない張力が印加した場合には、チューブ９０の外周面と把持面３１との間に摩擦力が発生し、この摩擦力がチューブ９０に印加された張力に対抗する。上記とは逆に、チューブ把持部３から導出されたチューブ９０の部分に、チューブ９０をチューブ把持部３に押し込むような押力が印加した場合も、チューブ９０の外周面と把持面３１との間の摩擦力が、前記押力に対抗する。このように、チューブ把持部３から外部に導出されたチューブ９０に外力が作用した場合、チューブ把持部３は、当該外力がチューブ９０を介してポート８４に伝わるのを低減するように機能する。従って、チューブ９０に加えられた外力はボトル８０に作用しにくいので、チューブ９０に外力が加えられた場合に、チューブ９０が接続されたボトル８０の姿勢変化を抑えることができる。
【００４３】
チューブ把持部３が、チューブ９０に作用した外力に効果的に対抗するためには、一対の把持面３１間の間隔は、チューブ９０の無負荷時の外径とほぼ同じか、これよりわずかに小さく設定されていることが好ましい。但し、一対の把持面３１間の間隔がチューブ９０の外径よりも大きくても、チューブ９０に外力が作用すると、チューブ９０が変位して、ほとんどの場合、把持面３１に接触するから、上述したのと同様にボトル８０の姿勢変化を抑えることが可能である。
【００４４】
一対の把持面３１よりも上側に、一対の係止突起３２が形成されているので、チューブ把持部３から導出されたチューブ９０の部分に印加した意図しない外力によって、チューブ９０が一対の係止突起３２間を通過して上側に移動する可能性は低い。従って、チューブ９０をチューブ把持部３に安定的に把持させておくことができるので、ボトル８０の姿勢変化を長期わたって抑えることができる。
【００４５】
保持部２に、上下方向に延びるスリット２３が形成されているので、スリット２３を介してボトル８０内の液状物の量を視認することが可能である。
【００４６】
液状物の投与が終了すると、チューブ９０を例えばクランプ（図示せず）等で閉塞させる。次いで、一方の手で架台１を保持し、他方の手でボトル８０を保持して、架台１とボトル８０とを分離するように、架台１に対してボトル８０を上方に移動させる。ボトル８０のポート８４に接続されたチューブ９０はチューブ把持部３で把持されているので、ポート８４とチューブ把持部３との間のチューブ９０の部分に張力が印加される。この張力によって、チューブ９０は、一対の把持面３１間から、一対の係止突起３２間を通過して、一対の係止突起３２より上側に移動する。このとき、凸曲面３３、特に凸曲面３３の把持面３１よりも中心軸１ａ側の部分（図３参照）は、チューブ９０が中心軸１ａから離れるようにチューブ９０を案内する。従って、わずかな張力で、チューブ９０をチューブ把持部３（即ち、一対の把持面３１間）から容易に解放させることができる。かくして、ボトル８０と架台１とを分離することができる。空になったボトル８０は、分解して洗浄される。
【００４７】
以上のように、本実施形態の架台１では、保持部２に形成されたスリット２３の下端に形成されたチューブ把持部３がチューブ９０を把持するので、チューブ把持部３から外部に導出されたチューブ９０に意図しない外力が加えられても、架台１に保持されたボトル８０の姿勢の変化が起こりにくい。従って、ボトル８０の姿勢安定性に優れる。これにより、例えば経腸栄養療法を行っている最中に、ボトル８０の姿勢を修正するなどの煩雑な作業を少なくすることができ、作業者の負担が軽減する。
【００４８】
チューブ把持部３を構成する一対の把持面３１よりも上側に係止突起３２が形成されているので、チューブ把持部３に把持されたチューブ９０が、意図しない外力によってチューブ把持部３から脱出する可能性を低減できる。従って、ボトル８０の姿勢変化を長期にわたって抑えることができる。
【００４９】
一対の係止突起３２がチューブ把持部３で把持されたチューブ９０のチューブ把持部３からの脱出を防止することにより、図７に示すようにチューブ９０をチューブ把持部３に把持させた状態でボトル８０を持ち上げると、チューブ９０を介して架台１も一緒に持ち上げることができる。従って、例えば経腸栄養療法を行っている最中に、ボトル８０のみを片手で持ち上げて架台１及びボトル８０の位置を変更することが可能である。
【００５０】
スリット２３の下端にチューブ把持部３が形成されているので、図６の状態に比べると、図７に示すようにチューブ９０をチューブ把持部３に把持させた状態では、チューブ９０の、ボトル８０のポート８４とチューブ把持部３との間の部分の屈曲が小さくなる。従って、チューブ９０の当該部分が折れ曲がってその内部の空間がつぶされてしまう、いわゆるキンクという現象が生じにくい。また、チューブ９０をチューブ把持部３に把持させた状態でチューブ９０にキンクが発生するのを防止するために、保持部２とチューブ把持部３との上下方向の距離を大きくする必要がないので、架台１の高さを低く抑えることができる。
【００５１】
一対の把持面３１に隣接して一対の凸曲面３３が形成されているので、チューブ９０を一対の把持部３に把持させる作業及び一対の把持部３からチューブ９０を解放する作業を容易且つ迅速に行うことができる。
【００５２】
保持部２に２つのスリット２３が形成され、各スリット２３の下端にチューブ把持部３が形成されている。従って、作業者は、２つのチューブ把持部３のうち、任意の一方にチューブ９０を把持させることができる。これにより、架台１の向きを変えることなく、チューブ９０の取り回し方向に応じて、チューブ９０を把持させるチューブ把持部３を選択することができる。例えば、患者側に向いた方のスリット２３に設けられたチューブ把持部３にチューブ９０を固定し、且つ、作業者はこれとは別のスリット２３を介してボトル８０内の液状物の残量を視認することが可能である。
【００５３】
上記の実施形態は例示に過ぎない。本発明は上記の実施形態に限定されず、適宜変更することができる。
【００５４】
上記の実施形態では、保持部２に２つのスリット２３が形成されていたが、スリット２３の数は１つ又は３つ以上であってもよい。複数のスリット２３を形成する場合、複数のスリット２３は、中心軸１ａに対して等角度間隔に配置してもよく、あるいは、非等角度間隔に配置してもよい。
【００５５】
上記の実施形態では、リブ２８は大径部２５及び傾斜面２７に連続的に形成されていたが、連続していなくてもよい。また、大径部２５及び傾斜面２７のうちのいずれか一方のみにリブ２８を形成してもよい。リブ２８に代えて、任意形状の突起（例えば球面状の突起）を設けてもよい。更には、リブ２８やこれに代わる突起を省略してもよい。
【００５６】
上記の実施形態では、スリット２３を挟んで互いに対向するように、一対の係止突起３２が形成されていたが、いずれか一方の係止突起３２を省略してもよい。係止突起３２の形状は、上記の実施形態に限定されず、任意に設定することができる。
【００５７】
中央の貫通穴４３を省略してもよい。
【００５８】
複数の架台１を上下方向に積み重ねた場合の挿入深さを規制する機構として、上記の実施形態では突出部４１，４２を保持部２の外周面２４に設けたが、突出部４１，４２を別の場所に設けて同様の機能を発揮させてもよい。また、突出部４１，４２に代えて別の構造を用いて、挿入深さを規制してもよい。更に、突出部４１，４２を省略してもよい。
【００５９】
複数の架台１を上下方向に積み重ねることを可能にする、架台１の下面の窪み４５を省略することができる。
【００６０】
上記の実施形態では、段差面２７より下に略円筒面である小径部２６が設けられていたが、段差面２７より下の部分の形状は任意である。例えば、球面など任意の曲面であってもよい。
【００６１】
本発明の架台に保持されるボトル８０の構成は図８に限定されず任意である。ボトル８０の容器本体８１は液状物を収納することができる筒形状を有していればよい。容器本体８１の側壁８２は、上記の実施形態では略円筒面であったが、例えば、円錐面、多角柱面（例えば六角柱面）など任意の形状であってもよい。容器本体８１の形状に応じて、容器本体８１の側壁８２及び底部８３に対向する大径部２５及び段差面２７の形状を適宜変更することができる。容器本体８１は所定の形状を維持することができる程度の機械的強度（剛性）を有していればよく、その材料は形状保持性を有する樹脂材料（例えば、ポリプロピレン、ポリカーボネートなど）やガラスなど任意である。
【００６２】
ボトル８０に収納される液状物は、経腸栄養剤であってもよく、あるいは、これ以外の液状物であってもよい。
【産業上の利用可能性】
【００６３】
本発明の利用分野は特に制限はなく、経腸栄養剤などの液状物を貯蔵する栄養ボトルを保持するための架台として利用することができる。特に、医療分野において使用される栄養ボトル用架台として好ましく利用することができる。
【符号の説明】
【００６４】
１  栄養ボトル用架台
１ａ  中心軸
２  保持部
２１  第１保持部
２２  第２保持部
２３  スリット
２８  リブ
３  チューブ把持部
３１  把持面
３２  係止突起
３３  凸曲面
４  基台
４１，４２  突出部
４３  貫通穴
４５  窪み
８０  栄養ボトル
８１  容器本体
８２  容器本体の側壁
８３  容器本体の底部
８４  容器本体のポート
９０  チューブ
【図１】
2013169349.tif 000003
【図２】
2013169349.tif 000004
【図３】
2013169349.tif 000005
【図４】
2013169349.tif 000006
【図５】
2013169349.tif 000007
【図６】
2013169349.tif 000008
【図７】
2013169349.tif 000009
【図８】
2013169349.tif 000010
【図９】
2013169349.tif 000011
【図１０】
2013169349.tif 000012